(57)【特許請求の範囲】
【請求項１】
映像データを再生送出するための映像再生手段と、
前記映像再生手段からの映像データを表示するための映像表示手段と、
前記映像再生手段に対し前記映像表示手段を介して再生モードの指示をする指示手段と、
前記映像再生手段と前記映像表示手段の間でデータを送受信する送受信手段と、
を備える動画像伝送装置であって、
前記映像再生手段は、映像データに時間情報を付加し、前記の送受信手段を介して前記映像表示手段に送信し、
前記映像表示手段は、前記指示手段により再生モード変更の指示があった場合に、指示データと変更指示時点の時間情報を前記の送受信手段を介して前記映像再生手段に送信し、
さらに、前記映像再生手段は、送られてきた時間情報と再生モード指示に従って、映像データの戻し量を算出し、指示があった時間まで映像を戻してから指示された再生モードにすることを特徴とする動画像伝送装置。
【請求項２】
映像データを再生送出するための映像再生手段と、
前記映像再生手段からの映像データを表示するための映像表示手段と、
前記映像再生手段に対し前記映像表示手段を介して再生モードの指示をする指示手段と、
前記映像再生手段と前記映像表示手段の間でデータを送受信する送受信手段と、
を備える動画像伝送装置であって、
前記映像表示手段は、前記指示手段により再生モード変更の指示があった場合に、指示データを前記の送受信手段を介して前記映像再生手段に送信し、
前記映像再生手段は、前記指示手段が再生モード指示を発してから前記映像再生手段に届くまでの時間と、前記映像再生手段で再生された映像が前記映像表示手段に届くまでの時間を予め加算し、算出しておき、再生モード指示があった画像から前記加算時間だけ映像を戻してから指示された再生モードにすることを特徴とする動画像伝送装置。
【請求項３】
再生モード変更の指示があった場合に、前記映像表示手段は、画面を静止させ、前記映像再生手段は、前記映像表示手段が表示している静止画面と同位置まで戻してから指示された再生モードとすることを特徴とする請求項１又は２記載の動画像伝送装置。
【請求項４】
再生モード変更の指示があった場合に、前記映像表示手段は、静止画面を表示するとともに、変更後の再生指示コマンドと変更指示時点の時間情報を前記映像再生手段に送信し、さらに、該静止画面の表示を継続し、前記映像再生手段から入力される時間情報と静止画面の時間情報とを比較し、両時間情報が一致すると変更後の再生モードにおける映像信号が入力されていると判断して、入力される映像を表示する機能を備えたことを特徴とする請求項１乃至３のうちいずれか１項記載の動画像伝送装置。
【請求項５】
少なくとも、再生モードを通常再生から高速再生に変更する場合には、前記映像再生手段は、前記映像表示手段が前記の送受信手段を介して送信する再生モード指示と変更指示時点の時間情報に従って、指示があった時間まで映像を戻すことなく、即座に変更後の再生モードで映像の再生を行うことを特徴とする請求項１記載の動画像伝送装置。
【発明の詳細な説明】
【０００１】
【発明の属する技術分野】
本発明は、映像信号を送出してから表示するまでに伝送遅延が存在する動画像伝送装置に関し、より詳しくは、再生モードの変更を行う場合に、映像送出側の映像信号および映像表示側の表示映像を調整することにより、視聴者に表示される映像信号に違和感がないようにした動画像伝送装置に関するものである。
【０００２】
【従来の技術】
従来より、視聴者とは離れた位置から、無線伝送路や有線伝送路を介して映像を送信するシステムが実用化されている。例えば、遠隔地に備えたカメラで撮影した映像を用いて当該カメラを設置した付近を監視する遠隔地監視装置、家庭用テレビやビデオから無線伝送路を介して別の部屋のテレビに表示する無線伝送システム、遠隔地にあるサーバーに蓄えられた映像を有線伝送路を介して表示するビデオ・オン・デマンドシステムなどが知られている。
【０００３】
一般的に、映像信号を無線伝送路や有線伝送路を介して伝送する場合には、伝送遅延が生じる。また、限られた伝送路容量を有効活用するために、映像信号を高能率符号化することが多く、この場合はさらに符号化遅延、復号遅延が生じる。このため、映像送出側と受信側（視聴者側）で映像信号にずれが発生する。その一例として、無線伝送系における映像信号のずれを、図９を用いて説明する。
【０００４】
図９に示す例は、動画像再生装置２１で再生した映像信号を動画像符号化装置２２で高能率符号化し、符号化データを無線送受信機２３から無線伝送路２４を介して無線送受信機２５に伝送し、受信した符号化データを動画像復号装置２６で復号するものである。この場合、動画像再生装置２１の制御は、視聴者２８が再生モード指示装置２７（例えばリモコン）で行うようになっている。
【０００５】
視聴者２８が見ている復号映像は、動画像再生装置２１から出力された映像が、動画像符号化装置２２において符号化される際の符号化遅延と、無線送受信機２３で送信に要する遅延時間と、無線伝送路２４での遅延時間と、無線送受信機２５で受信に要する遅延時間と、動画像復号装置２６における復号遅延との加算値だけ遅れた映像になる（以下、この遅延時間の加算値を再生遅延時間と称する）。すなわち、動画像再生装置２１から出力される映像信号は、同一時刻に視聴者２８が見ている復号映像よりも再生遅延時間だけ先に進んでいることになる。
【０００６】
このような状況で、例えば視聴者２８が再生モード指示装置２７で静止を指定した場合に、静止を示すコマンドが動画像復号装置２６、無線伝送路２４、動画像符号化装置２２を介して動画像再生装置２１へ伝わる。動画像再生装置２１は、静止コマンドを受けると静止画像を出力するが、静止画像が視聴者２８に表示されるまで再生遅延時間の遅れが生じる。
視聴者には、静止を指示してから少なくとも再生遅延時間分の映像が再生され、その後に静止画が表示されることとなり、使い勝手が悪いという問題があった。
【０００７】
伝送遅延による使い勝手の悪さを改善する手段として、特開平１０−１３８１５号公報に記載された技術がある。この技術は、ビデオ・オン・デマンドシステムにおける使い勝手を改善するもので、視聴者側のホームターミナルに画像蓄積手段を備え、映像データを蓄積しておき、早送り、巻き戻し、一時停止、スロー再生等の再生操作をホームターミナルの画像蓄積手段に対して行うことにより、操作開始から画面表示までの遅延時間を無くして視聴者の使い勝手を良くしようとするものである。
【０００８】
【発明が解決しようとする課題】
しかしながら、上述した特開平１０−１３８１５号公報に記載された技術は、再生する映像データを予めホームターミナルの画像蓄積手段に格納したものであり、大容量の画像蓄積手段が必要で高コストになるという問題があった。
また、この従来の技術は、画像蓄積手段に既に蓄積されている映像について使い勝手を良くすることを目的としたものであり、新規に再生する映像については、サーバーから送信される映像データを再生するため、使い勝手は向上しないという問題があった。
さらに、例えば監視カメラやＶＴＲ記録時のモニタのように、常に新規な映像を表示するようなシステムには適用できないという問題があった。
【０００９】
本発明は、上述した問題点に鑑み提案されたもので、大容量の画像蓄積手段が不要で、かつ映像記録時の遠隔地モニタとして適用した場合であっても操作性の良い動画像伝送装置を提供することを目的とする。
【００１０】
【課題を解決するための手段】
本発明に係る動画像伝送装置は、映像データを再生送出するための映像再生手段と、前記映像再生手段からの映像データを表示するための映像表示手段と、前記映像再生手段に対し前記映像表示手段を介して再生モードの指示をする指示手段と、前記映像再生手段と前記映像表示手段の間でデータを送受信する送受信手段と、を備える動画像伝送装置であって、前記映像再生手段は、映像データに時間情報を付加し、前記の送受信手段を介して前記映像表示手段に送信し、前記映像表示手段は、前記指示手段により再生モード変更の指示があった場合に、指示データと変更指示時点の時間情報を前記の送受信手段を介して前記映像再生手段に送信し、さらに、前記映像再生手段は、送られてきた時間情報と再生モード指示に従って、映像データの戻し量を算出し、指示があった時間まで映像を戻してから指示された再生モードにすることを特徴とするものである。
【００１１】
また、本発明に係る動画像伝送装置は、映像データを再生送出するための映像再生手段と、前記映像再生手段からの映像データを表示するための映像表示手段と、前記映像再生手段に対し前記映像表示手段を介して再生モードの指示をする指示手段と、前記映像再生手段と前記映像表示手段の間でデータを送受信する送受信手段と、を備える動画像伝送装置であって、前記映像表示手段は、前記指示手段により再生モード変更の指示があった場合に、指示データを前記の送受信手段を介して前記映像再生手段に送信し、前記映像再生手段は、前記指示手段が再生モード指示を発してから前記映像再生手段に届くまでの時間と、前記映像再生手段で再生された映像が前記映像表示手段に届くまでの時間を予め加算し、算出しておき、再生モード指示があった画像から前記加算時間だけ映像を戻してから指示された再生モードにすることを特徴とするものである。
【００１２】
さらに、本発明に係る動画像伝送装置は、再生モード変更の指示があった場合に、前記映像表示手段は、画面を静止させ、前記映像再生手段は、前記映像表示手段が表示している静止画面と同位置まで戻してから指示された再生モードとすることを特徴とするものである。
【００１３】
加えて、本発明に係る動画像伝送装置は、再生モード変更の指示があった場合に、前記映像表示手段は、静止画面を表示するとともに、変更後の再生指示コマンドと変更指示時点の時間情報を前記映像再生手段に送信し、さらに、該静止画面の表示を継続し、前記映像再生手段から入力される時間情報と静止画面の時間情報とを比較し、両時間情報が一致すると変更後の再生モードにおける映像信号が入力されていると判断して、入力される映像を表示する機能を備えたことを特徴とするものである。
【００１４】
加えて、本発明に係る動画像伝送装置は、少なくとも、再生モードを通常再生から高速再生に変更する場合には、前記映像再生手段は、前記映像表示手段が前記の送受信手段を介して送信する再生モード指示と変更指示時点の時間情報に従って、指示があった時間まで映像を戻すことなく、即座に変更後の再生モードで映像の再生を行うことを特徴とするものである。
【００１５】
なお、本発明に係る動画像伝送装置において、再生モードの変更とは、少なくとも、通常再生、逆再生、静止、スロー再生、コマ送り再生、高速再生の各モード相互間における変更をいうものとする。
【００１７】
【発明の実施の形態】
以下、図面を参照して、本発明に係る動画像伝送装置の実施形態を詳細に説明する。
【００１８】
〔第１の実施の形態〕
図１は、本発明の第１の実施形態に係る動画像伝送装置の概略構成を示すブロック図である。
第１の実施形態に係る動画像伝送装置は、視聴者から離れた位置にあるＶＴＲで再生した映像をＭＰＥＧ方式で符号化し、無線で伝送した符号化データを視聴者側で復号する装置で、ＶＴＲの操作は視聴者がリモコンで行う。
【００１９】
第１の実施形態に係る動画像伝送装置は、図１に示すように、映像再生手段としてのＶＴＲ１、ＭＰＥＧ符号化器２、データを送受信する送受信手段としての無線送受信機３、無線伝送路４、無線送受信機５、映像表示手段としてのＭＰＥＧ復号器６、再生モードの指示をする指示手段としてのリモコン７を備えている。
【００２０】
視聴者８がリモコン７で通常再生を指示すると、通常再生指示コマンドが、ＭＰＥＧ復号器６、無線送受信機５、無線伝送路４、無線送受信機３を介してＶＴＲ１へ伝わり、ＶＴＲ１が通常再生を開始する。再生映像は、ＭＰＥＧ符号化器２で高能率符号化され、無線送受信機３、無線伝送路４、無線送受信機５を介してＭＰＥＧ復号器６で復号され、視聴者８に表示される。
【００２１】
視聴者８に再生映像が表示されるのは、視聴者８が通常再生指示コマンドを発してから、通常再生指示コマンドがＶＴＲ１に届くまでの遅延時間（以下、コマンド遅延時間と称する）と、ＶＴＲ１で再生された映像がＭＰＥＧ復号器６で復号され視聴者８に表示されるまでの遅延時間（以下、再生遅延時間と称する）の加算値だけ後になる。
視聴者８は、ＭＰＥＧ復号器６で復号された映像を見ながら、リモコン７で停止、再生、早送り、巻き戻し、静止、逆再生、コマ送り、スロー再生、高速再生等の制御を行う。
【００２２】
次に、本発明に係る動画像伝送装置の特徴である再生モード変更時の動作について説明する。
例えば、再生モードを通常再生から静止に変更した場合に、ＭＰＥＧ復号器６は、リモコン７から静止指示コマンドを受け取ると即座に画面を静止し、静止画面を表示し続ける。
【００２３】
この時点における様子を図２に示す。図２は、図１に示すブロック図の各部における映像の内容を示したものである。
図２に示すように、ＶＴＲ１からＭＰＥＧ復号器６までは、ＶＴＲ１の通常再生映像が流れており、ＭＰＥＧ復号器６の出力側から視聴者８まではＭＰＥＧ復号器６で静止した画像が表示されている。
静止指示コマンドは、コマンド遅延時間後にＶＴＲ１に届き、ＶＴＲ１は通常再生から静止状態もしくは停止状態に移行する。
【００２４】
この時点で、ＶＴＲ１における表示画面は、視聴者８に表示されている画面よりもコマンド遅延時間と再生遅延時間の加算値だけ進んだ画像になる。本実施形態に係る動画像伝送装置では、ＶＴＲ１の映像をＭＰＥＧ復号器６が表示している静止画像まで戻し、この静止画像を表示する。
【００２５】
ＶＴＲ１で映像を戻し終わった状態における様子を図３に示す。図３は、図１に示すブロック図の各部での映像の内容を示したものである。
図３に示すように、ＶＴＲ１からＭＰＥＧ復号器６までは、ＶＴＲ１で表示している静止画像が流れており、ＭＰＥＧ復号器６の出力側から視聴者８までは、ＭＰＥＧ復号器６で静止した画像が表示されている。
ＶＴＲ１は、ＭＰＥＧ復号器６が表示している静止画像と同一の画像を静止表示しているので、ＶＴＲ１から視聴者８まで同一の静止画像が流れていることになる。
【００２６】
ＭＰＥＧ復号器６に対してＶＴＲ１から静止画像が入力されると、ＭＰＥＧ復号器６は、静止画像表示から入力される符号化データを復号して表示するように切り替えられる。入力される符号化データは、静止表示していた画像と同一画像を符号化したものであるから、表示を静止画像から復号画像に切り替えても視聴者８に表示される画像は変化しない。この様子を図４に示す。
【００２７】
図４に示すように、ＶＴＲ１から視聴者８までは、ＶＴＲ１で表示している静止画像が流れている。このように、第１の実施形態に係る動画像伝送装置では、通常再生から静止表示に移行する場合に、視聴者８には即座に静止画像が表示され、遅延時間を感じさせない操作性を提供することができる。
【００２８】
次に、再生モードを静止から通常再生に変更する場合の動作を説明する。
まず、視聴者８がリモコン７を操作して通常再生を指示すると、通常再生指示コマンドがコマンド遅延時間後にＶＴＲ１に届き、ＶＴＲ１は、静止状態から通常再生に移行する。通常再生映像は、ＭＰＥＧ復号器６で復号され、ＶＴＲ１が通常再生に移行してから伝送遅延時間後に視聴者８に表示される。
このように、第１の実施形態に係る動画像伝送装置では、静止状態から通常再生へ再生モードを変更する場合に、表示されていた静止画像から通常再生が開始されるので、視聴者に良好な操作性を提供することができる。
【００２９】
再生モードの変更例として、通常再生から静止への再生モードの変更と、静止から通常再生への再生モードの変更について説明したが、その他のモードの変更についても同様の動作を行うことにより、視聴者に良好な操作性を提供することができる。例えば、通常再生からスロー再生に変更する場合には、一旦ＭＰＥＧ復号器６で静止画像を表示し、ＶＴＲ１は、該静止画像と同位置まで巻き戻しが終了した後にスロー再生を行う。ＭＰＥＧ復号器６では、巻き戻しが終了してから入力画像の表示に切り替えることにより、視聴者８が所望するスロー再生映像を表示することができる。
【００３０】
次に、再生モードを変更したときに、ＶＴＲ１における巻き戻し量を算出する手段、およびＭＰＥＧ復号器６が静止画面を表示をしている状態から、ＶＴＲ１からの入力画像表示に切り替えるタイミングについて説明する。
【００３１】
ＶＴＲ１は、カウンタを装備しており、そのカウンタ値を付加情報として送出する。ＭＰＥＧ符号化器２では、カウンタ値を符号化データに埋め込み、ＭＰＥＧ復号器６で再生する。
符号化データにカウンタ値を埋め込む手段としては、例えば、ビデオのユーザデータとして符号化する方法や、システムのプライベートストリームとして符号化する方法がある。あるいは、カウンタ値をＭＰＥＧの符号化データに埋め込むのではなく、無線伝送路のコマンドチャネルを使ってカウンタ値を受け渡してもよい。
【００３２】
図５に、上述したカウンタを用いて、ＶＴＲ１における巻き戻し量を算出する手順、およびＭＰＥＧ復号器６が静止画面を表示している状態から、ＶＴＲ１からの入力画像表示に切り替える手順を示す。なお、図５において、各ステップの左側にＶＴＲ１の動作を示し、右側にＭＰＥＧ復号器６の動作を示している。
【００３３】
まず、ＶＴＲ１は、指定した再生モードで再生を行い、ＭＰＥＧ復号器６は、ＶＴＲ１から入力される映像を表示する（Ｓ１０１）。
この動作は、再生モードが変更されたと判断されるまで継続する（Ｓ１０２）。再生モードが変更されると、ＶＴＲ１は、変更前の再生モードで再生を継続し、ＭＰＥＧ復号器６は、静止画面を表示するとともに変更後の再生モード指示コマンドと静止画面のカウンタ値をＶＴＲ１に送信する（Ｓ１０３）。
【００３４】
続いて、ＶＴＲ１は、変更後の再生モード指示コマンドとカウンタ値を受け取ると、該カウンタ値まで映像を巻き戻し、ＭＰＥＧ復号器６は、静止画面の表示を継続する（Ｓ１０４）。
続いて、ＶＴＲ１は、巻き戻しが終了すると変更後の再生モードで再生を開始し、ＭＰＥＧ復号器６は、静止画面の表示を継続する（Ｓ１０５）。ＭＰＥＧ復号器６では、ＶＴＲ１から入力されるカウンタ値と表示している静止画面のカウンタ値とを比較し、両カウンタ値が一致すると変更後の再生モードにおける映像信号が入力されていると判断し、ステップ１０１（Ｓ１０１）へ戻り、ＶＴＲ１は、指定した再生モードでの再生を継続し、ＭＰＥＧ復号器６は、入力される映像を表示する。
【００３５】
再生モードが変更された場合のＶＴＲ１での巻き戻し量は、予め算出しておいてもよい。例えば、電源投入時にＶＴＲ１で特殊な映像を再生したり、あるいはＭＰＥＧ符号化器１２で特殊な符号化データを伝送し、ＭＰＥＧ復号器６では、この特殊な映像もしくは特殊な符号化データを再生すると、ＶＴＲ１に対して特殊なコマンドを発信する。
【００３６】
ＶＴＲ１は、この特殊なコマンドを受信することにより、伝送遅延時間とコマンド遅延時間の加算値を算出することができる。再生モードを変更した場合の巻き戻し量は、変更前の再生モードにおける伝送遅延時間とコマンド遅延時間の加算値に相当する時間だけ再生した量と同等である。
また、再生モードの変更時に、ＭＰＥＧ復号器６で静止画面表示としてから入力映像表示に切り替える時間も、伝送遅延時間とコマンド遅延時間の加算値と同等である。
【００３７】
なお、第１の実施形態では、通常再生から静止表示への変更、および静止表示から通常再生への変更についての動作を説明したが、逆再生、スロー再生、コマ送り再生、高速再生の各モード相互間でも、図１〜図５で説明した第１の実施形態を適用することができる。
【００３８】
上述したように、第１の実施形態に係る動画像伝送装置は、再生モードが変更された場合にＶＴＲ１で映像を巻き戻すとともに、ＭＰＥＧ復号器６で静止画面表示を行うことにより、視聴者に良好な操作環境および視聴環境を提供することに特徴がある。したがって、映像を再生する手段はＶＴＲに限られず、例えば、ＤＶＤであっても構わない。また、第１の実施形態では、映像符号化データを無線伝送路を介して伝送したが、有線伝送路を介して伝送しても構わない。
【００３９】
〔第２の実施形態〕
図６は、本発明の第２の実施形態に係る動画像伝送装置の概略構成を示すブロック図である。
第２の実施形態に係る動画像伝送装置は、視聴者から離れた位置にあるＤＶＤ再生装置で再生した符号化データを無線で伝送し、この符号化データを視聴者側で復号する装置で、ＤＶＤ再生装置の操作は視聴者がリモコンで行う。
【００４０】
なお、図６に示す第２の実施形態に係る動画像伝送装置と、図１に示す第１の実施形態に係る動画像伝送装置とは、映像再生手段だけが異なるため、同一機能を有するブロックには同一番号を付し、説明を省略する。
また、第２の実施形態における各種再生モードで再生中の動作は、上述した第１の実施形態と同様である。
【００４１】
再生モードを変更したときに、第１の実施形態では、ＶＴＲ１に備えたカウンタ値に基づいてＶＴＲ１における巻き戻し量、およびＭＰＥＧ復号器６が静止画面を表示している状態から、ＶＴＲ１からの入力画像表示に切り替えるタイミングを算出したが、第２の実施形態では、ＤＶＤに記録されている符号化データの時間情報に基づいてこれらを算出し、ＤＶＤ再生装置１１を制御するようになっている。
【００４２】
ＤＶＤにはＭＰＥＧで符号化したデータが記録されており、ＤＶＤ再生装置１１は、この符号化データを復号してＭＰＥＧ符号化器１２に入力する。ＭＰＥＧで符号化したデータにはＰＴＳ（Ｐｒｅｓｅｎｔａｔｉｏｎ  Ｔｉｍｅ  Ｓｔａｍｐ）やＤＴＳ（Ｄｅｃｏｄｉｎｇ  Ｔｉｍｅ  Ｓｔａｍｐ）が付加されている。
【００４３】
ＭＰＥＧ符号化器１２で符号化する場合にも、ＰＴＳやＤＴＳを付加して符号化データを生成するが、第２の実施形態では、ＭＰＥＧ符号化器１２で付加するＰＴＳ、ＤＴＳを、ＤＶＤ再生装置１１で復号したＰＴＳ、ＤＴＳと同一にする。また、第２の実施形態では、第１の実施形態におけるカウンタ値を、ＰＴＳ、ＤＴＳで置き換える。
再生モードの変更時に、ＶＴＲ１における巻き戻し量、およびＭＰＥＧ復号器６が静止画を表示している状態から、ＶＴＲ１からの入力画像表示に切り替えるタイミングは、第１の実施形態と同様の手順で算出することができる。
【００４４】
〔第３の実施の形態〕
図７は、本発明の第３の実施形態に係る動画像伝送装置の概略構成を示すブロック図である。
第３の実施形態に係る動画像伝送装置は、視聴者から離れた位置にあるＤＶＤ再生装置で再生した符号化データを無線で伝送し、この符号化データを視聴者側で復号する装置で、ＤＶＤ再生装置の操作は視聴者がリモコンで行う。
なお、図７に示す第３の実施形態に係る動画像伝送装置と、図１に示す第１の実施形態に係る動画像伝送装置とは、映像再生手段だけが異なるため、同一機能を有するブロックには同一番号を付し、説明を省略する。
【００４５】
上述した第１および第２の実施形態では、各種再生モードで再生中に、映像データをＭＰＥＧ符号化器で符号化した符号化データを無線伝送路で伝送していたが、第３の実施形態では、ＤＶＤ再生装置１３から直接ＭＰＥＧの符号化データを出力する点が異なっている。それ以外の動作は、上述した第１および第２の実施形態と同様である。
【００４６】
再生モードを変更したときには、ＤＶＤに記録されている符号化データ時間情報に基づいて、ＤＶＤ再生装置１３における巻き戻し量、およびＭＰＥＧ復号器６が静止画面を表示している状態から、ＤＶＤ再生装置１３からの入力画像表示に切り替えるタイミングを算出する点は、第２の実施形態と同様の動作を行う。
【００４７】
〔第４の実施形態〕
上述した第１〜第３の実施の形態では、再生モードの変更があると、必ず映像ソース側をＭＰＥＧ復号器６における静止画面まで巻き戻していたが、第４の実施形態では、特定の再生モードの変更の場合には巻き戻しを行わない。
【００４８】
図８は、第４の実施形態において、再生モードを変更しても巻き戻しを行わない動作手順を示すフローチャートである。
なお、図８に示すフローチャートは、図５に示すフローチャートからステップ１０４（Ｓ１０４）を削除したもので、ＶＴＲ１、ＤＶＤ再生装置１１、１３で巻き戻し動作がなくなること以外は、図５に示すフローチャートと同様の動作手順となっている。
【００４９】
例えば、通常再生から高速再生に移行する場合に、視聴者が先の映像を見るべく高速再生を指定しているにもかかわらず、映像ソース側で一旦巻き戻すと、その巻き戻し時間だけ、却って操作性が悪くなるという問題がある。
したがって、第４の実施形態では、再生モードを高速再生に変更する場合に、図８に示すフローチャートの手順に従って動作し、それ以外の再生モードの変更では、図５に示すフローチャートの手順に従って動作するようになっている。
【００５０】
【発明の効果】
本発明に係る動画像伝送装置では、再生モードの変更を行うと即座に静止画面となり、映像再生手段でこの静止画面位置まで巻き戻してから変更した再生モードでの再生が開始される。
したがって、あらゆる再生モードにおいて、映像の連続性を保つことができる。また、再生モードの変更を行うと即座に静止画面となることから、視聴者の指示が映像伝送装置に伝わっていることを容易に確認することができる。
【００５１】
また、映像再生手段における巻き戻し量、および映像表示手段における静止画面を表示する時間は、映像再生手段のカウンタやＭＰＥＧの符号化で用いられる時間情報から容易に算出することができる。すなわち、特別な回路の追加なしに、映像再生手段における巻き戻し量、および映像表示手段における静止画面を表示する時間を算出することができる。
【００５２】
さらに、全ての再生モードの変更において、映像再生手段で映像の巻き戻しを行うのではなく、高速再生に変更する場合など、映像の連続性よりも即答性が要求される場合には、即座に変更後のモードでの再生を行うような適応処理を行うことにより、より良好な操作性を提供することができる。
【図面の簡単な説明】
【図１】本発明の第１の実施形態に係る動画像伝送装置の概略構成を示すブロック図である。
【図２】本発明の第１の実施形態において、再生モード変更時の映像の状態を示す説明図である。
【図３】本発明の第１の実施形態において、ＶＴＲで巻き戻しが終了した時点における映像の状態を示す説明図である。
【図４】本発明の第１の実施の形態において、ＶＴＲから巻き戻し終了後の映像がＭＰＥＧ復号器に入力した時点における映像の状態を示す説明図である。
【図５】本発明の第１の実施形態における再生モード変更時の動作を示すフローチャートである。
【図６】本発明の第２の実施形態に係る動画像伝送装置の概略構成を示すブロック図である。
【図７】本発明の第３の実施形態に係る動画像伝送装置の概略構成を示すブロック図である。
【図８】本発明の第４の実施形態における動作を示すフローチャートである。
【図９】従来の無線伝送装置の概略構成を示すブロック図である。
【符号の説明】
１      ＶＴＲ
２      ＭＰＥＧ符号化器
３      無線送受信機
４      無線伝送路
５      無線送受信機
６      ＭＰＥＧ復号器
７      リモコン
８      視聴者
１１    ＤＶＤ再生装置
１２    ＭＰＥＧ符号化器
１３    ＤＶＤ再生装置
２１    動画像再生装置
２２    動画像符号化装置
２３    無線送受信機
２４    無線伝送路
２５    無線送受信機
２６    動画像復号装置
２７    再生モード指示装置（リモコン）
２８    視聴者
【図１】
0003801507.tif 000002
【図２】
0003801507.tif 000003
【図３】
0003801507.tif 000004
【図４】
0003801507.tif 000005
【図５】
0003801507.tif 000006
【図６】
0003801507.tif 000007
【図７】
0003801507.tif 000008
【図８】
0003801507.tif 000009
【図９】
0003801507.tif 000010